(57)【要約】【課題】  パチンコ店などの店内に多数本、配設、設置して広告宣伝やその他の表示を行う小さな幟であって、広告宣伝文や適宜な図柄等を表示している縦長長方形状の幟旗を幟竿に対して迅速に且つ確実に交換できるようにする。【解決手段】  幟竿１の数カ所に、対向面間にスリット部６を設けている左右一対の挟持片2A、2Bからなる挟持部材２を前方に向かって突設してあり、これらの数個の挟持部材２のスリット部６に前方側から幟旗３の後端縁を差し込むことにより、挟持部材２を開放操作等することなく、該幟旗３の後端縁を一方の挟持片2Aからスリット部６に介在している弾性部材５と他方の挟持片2Bとの対向面で挟持させると共に、交換時には幟旗３を手前に向かって引き抜くだけで幟竿１から簡単に取り外せるように構成している。【選択図】    図１
2006119161.tif 000002
【特許請求の範囲】
【請求項１】
対向する挟持面が上下方向に貫通し且つ前方に向かって開口している一対の挟持片からなる挟持部材を幟竿に長さ方向に所定間隔毎に複数対、突設し、これらの挟持部材の挟持片間に幟旗の後端縁を差し込んで対向する挟持面により該幟旗の後端縁を抜き取り可能に挟持させていることを特徴とする幟。
【請求項２】
幟竿の上端に幟旗の上端縁を支持する横竿を装着することなく、幟竿に設けている複数対の挟持片のみで幟旗の後端縁を抜き取り可能に挟持させていることを特徴とする請求項１に記載の幟。
【請求項３】
挟持部材を構成している一対の挟持片の対向面間は小間隔を存して上下方向に貫通し且つ前方に向かって開口しているスリット部に形成されていると共に、一方の挟持片の挟持面に弾性部材を取付けてスリット部に差し込まれる幟旗の後端縁をこの弾性部材を介して挟持させるように構成していることを特徴とする請求項１に記載の幟。
【請求項４】
挟持部材は、一方の挟持片を幟竿と一体に設けられて幟竿から前方に向かって突出した一側挟持片とし、他方の挟持片をこの一側挟持片と別体の他側挟持片に形成してなり、一側挟持片と他側挟持片との後端部対向面に縦長孔とこの縦長孔に嵌合する縦長突片をそれぞれ設けて、これらの縦長孔と縦長突片との嵌合により一側挟持片に他側挟持片を装着して挟持部材を構成していることを特徴とする請求項１又は請求項３に記載の幟。
【発明の詳細な説明】
【技術分野】
【０００１】
本発明は多数のパチンコ台を設置している遊技場の店内、或いは、各種商品を販売する商店等において、宣伝広告などの表示用として使用される比較的小さな幟に関するものである。
【背景技術】
【０００２】
従来から、例えば、パチンコ店などの遊技場において、新機種のパチンコ台の宣伝広告やパチンコ店の行っているキャンペーンを表示するために、比較的小さな幟（ミニ幟）が設けられている。また、商店などにおいても、商品の宣伝文句やサービス等を記載した幟が採用されている。
【０００３】
このような幟としては、通常、宣伝広告用文や絵図等を記載した縦長長方形状の幟旗における一方の長辺側端縁と上端縁とに乳と称される複数個の吊支環を所定間隔毎に取付け、長辺側端縁の吊支環と上端縁側の吊支環とをそれぞれ幟竿と、該幟竿の上端に基端部を着脱自在に装着している横竿とに挿通、支持させた構造のものが広く採用されている。
【０００４】
しかしながら、このような幟では幟旗を交換したい場合には、まず、幟竿の上端から横竿を取り外して該横竿による幟旗上端側の吊支環の支持を解いたのち、幟竿に挿通している長辺側の吊支環を幟竿から抜き取ることにより幟旗を除去し、次いで、新たな幟旗の長辺側の吊支環を幟竿に順次、挿通したのち、該幟旗の上端縁側の吊支環に横竿を挿通して該横竿を幟竿の上端部に装着するという煩雑な作業を行わなければないないため、著しい手間を要することになる。
【０００５】
このため、幟竿の上端部から横竿を取り外すことなく、幟旗の交換を可能にした幟が開発されている。例えば、特許文献１や特許文献２に記載されているように、幟竿と横竿とに互いに左右方向に開閉自在な挟持片からなる止め部材を所定間隔毎に装着し、これらの止め部材の挟持片間に幟旗の端縁を介在させて該挟持片の先端対向部に設けている互いに係脱自在なスナップボタン形状の留め具により挟着するように構成した幟が開発されている。
【特許文献１】特開平９−１７１３６３号公報
【特許文献２】実用新案登録第３０６７０号公報
【発明の開示】
【発明が解決しようとする課題】
【０００６】
上記幟の構造によれば、幟旗の交換を幟竿の上端部から横竿を取り外すことなく行えるが、その際、幟竿や横竿に設けている全ての止め部材の左右挟持片を順次開いてそれまでこれらの止め部材により支持されていた幟旗を取り除き、しかるのち、新たな幟旗の一方の長辺側端縁と上端縁とを止め部材の左右挟持片間に介在させ、この状態にして左右挟持片を順次閉じて留め具により幟旗の所定部分を挟着、支持させるようにしているため、留め具を順次、一つずつ開放する作業と、各止め具に対する幟旗の被挟持部分の位置付け作業、位置付け後に止め部材を順次、一つずつ閉じる作業とを必要とし、古くから採用されている上記吊支環による幟旗の取付作業と同様に煩雑な作業を必要とし、交換に著しい手間を要して、特に、短時間で多数の幟旗の交換を行わなければならないパチンコ店などの遊技場において採用するには不適当である。
【０００７】
さらに、幟旗の一か所を止め部材により幟竿又は横竿の所定位置に挟着、固定したのち、この止め部材に隣接する止め部材によって該幟旗の次の箇所を挟着、固定する際に、これらの隣接する止め部材間の幟旗部分が弛んだ状態で固定される虞れがあって外観を損するといった問題点があり、これを矯正するには止め部材による挟着を解いて幟旗を緊張状態にしたのち、再び止め部材を閉じる操作を必要とするものである。
【０００８】
本発明は上記のような問題点に鑑みてなされたもので、その目的とするところは、簡単な構造によって幟竿に対する幟旗の取付けや取り外し作業がワンタッチで迅速且つ確実に行え、多数の幟旗の交換作業が短時間で能率よく行えるようにした幟の構造を提供するにある。
【課題を解決するための手段】
【０００９】
上記目的を達成するために、本発明の幟は、請求項１に記載したように、対向する挟持面が上下方向に貫通し且つ前方に向かって開口している一対の挟持片からなる挟持部材を幟竿に、長さ方向に所定間隔毎に複数対、突設し、これらの挟持部材の挟持片間に幟旗の後端縁を差し込んで対向する挟持面により該幟旗の後端縁を抜き取り可能に挟持させた構造としている。
【００１０】
このように構成した幟において、請求項２に係る発明は、上記幟竿の上端に幟旗の上端縁を支持する横竿を装着することなく、幟竿に設けている複数対の挟持片のみで幟旗の後端縁を抜き取り可能に挟持させた構造としていることを特徴とする。
【００１１】
さらに、請求項１に記載の幟において、請求項３に係る発明は、挟持部材を構成している一対の挟持片の対向面間を、小間隔を存して上下方向に貫通し且つ前方に向かって開口しているスリット部に形成していると共に、一方の挟持片の挟持面に弾性部材を取付けて上記スリット部に差し込まれる幟旗の後端縁をこの弾性部材を介して挟持させるように構成している。
【００１２】
また、請求項４に係る発明は、上記挟持部材における一方の挟持片を幟竿と一体に設けられ且つ該幟竿から前方に向かって突出した一側挟持片とし、他方の挟持片をこの一側挟持片と別体の他側挟持片に形成してなり、一側挟持片と他側挟持片との後端部対向面に縦長孔とこの縦長孔に嵌合する縦長突片をそれぞれ設けて、これらの縦長孔と縦長突片との嵌合により一側挟持片に他側挟持片を装着して挟持部材を構成している。
【発明の効果】
【００１３】
請求項１に記載の幟によれば、幟竿に、対向する挟持面が上下方向に貫通し且つ前方に向かって開口している一対の挟持片からなる挟持部材を長さ方向に所定間隔毎に複数対、突設し、これらの挟持部材の挟持片間に幟旗の後端縁を差し込んで対向する挟持面により該幟旗の後端縁を抜き取り可能に挟持させているので、幟旗を幟竿から離間する方向に引っ張ることによって、全ての挟持部材の挟持片間からこれらの挟持片間の摩擦抵抗力（挟持力）に抗して幟旗の後端縁を全長に亘って同時に抜き取ることができ、従って、幟竿からの幟旗の取り外し作業がワンタッチで迅速に行えると共に、新たな幟旗を幟竿に取付ける際には、挟持部材を構成している一対の挟持片間を開放させる操作を行うことなく、該幟旗の後端縁の所定部分を幟竿に長さ方向に所定間隔毎に設けている上記挟持部材に突き合わせ状に対向させた状態にして、該後端縁を挟持部材の挟持片の対向面間に差し込むという簡単な操作を行うだけで、全ての挟持部材に幟旗の後端縁の数カ所を同時に挟持させることができ、幟旗の交換作業が確実に且つ能率よく行うことができる。
【００１４】
そのため、多数の幟を設置するパチンコ店等においては、全ての幟竿に対する幟旗の交換作業が短時間で行うことができると共に、表示中においてその表示内容を変更したい幟旗を交換する際にも、該幟の設置場所が狭くてもその交換作業が客等の邪魔になることなくその場でワンタッチで行うことができる。
【００１５】
さらに、幟旗を緊張させた状態で全ての挟持部材に同時にその後端縁の所定部分を挟持させることができて体裁のよい表示が可能になると共に、例え、幟竿の隣接する挟持部材間で幟旗の後端縁部が弛みが生じた状態で支持されても、挟持部材の挟持片間は上下方向に貫通しており、且つ、前方に向かって開口している開口端に対して幟旗の後端縁を挟持片の挟持力に抗して差し込み及び抜き取り可能に構成しているから、幟旗を幟竿に取付けた状態で上下方向に引っ張ることによって簡単に緊張させることができる。
【００１６】
また、請求項２に係る発明によれば、幟竿の上端に幟旗の上端縁を支持する横竿を装着することなく、幟竿に設けている複数対の挟持部材片のみで幟旗の後端縁を抜き取り可能に挟持させているので、横竿に対して幟旗の上端縁の取付位置を合わせる必要がないから幟旗の交換作業が一層、能率よく且つ確実に行うことができる。
【００１７】
上記挟持部材を構成している一対の挟持片の対向面間は、請求項３に記載したように、小間隔を存して上下方向に貫通し且つ前方に向かって開口しているスリット部に形成されていると共に、一方の挟持片の挟持面に弾性部材を取付けてスリット部に差し込まれる幟旗の後端縁をこの弾性部材を介して挟持させるように構成しているので、幟旗の後端縁を挟持部材における挟持片の対向面間の前端開口部から差し込むことによって弾性部材の一定の弾力により確実に挟持させることができると共に、その挟持状態においても該弾性部材の弾性挟持力に抗して幟旗の後端縁を上下方向並びに前後方向に摺動させて幟旗の取付位置の調整や弛みの除去を簡単且つ確実に行うことができる。また、挟持片間に対する幟旗の差し込み及び抜き取り方向は弾性部材の弾性挟持面に平行する方向であるから、該弾性部材の弾性挟持力に抗して幟旗の差し込み作業及び抜き取り作業が容易に行うことができる。
【００１８】
また、請求項４に係る発明によれば、上記挟持部材における一方の挟持片を幟竿と一体に設けられ且つ該幟竿から前方に向かって突出した一側挟持片とし、他方の挟持片をこの一側挟持片と別体の他側挟持片に形成してなるものであるから、構造が簡単で多量生産に適し、安価に供給することができると共に、上記一側挟持片と他側挟持片との後端部対向面に縦長孔とこの縦長孔に嵌合する縦長突片をそれぞれ設けて、これらの縦長孔と縦長突片との嵌合により一側挟持片に他側挟持片を装着するように構成しているので、一側挟持片に他側挟持片を装着する作業が簡単且つ確実に行うことができ、対向面で幟旗の後端縁を挟持することができる左右一対の挟持片からなる挟持部材を簡単に組み立てることができる。
【発明を実施するための最良の形態】
【００１９】
次に、本発明を実施するための最良の形態を図面について説明すると、図１及び図２に示すように、幟は幟竿１と、この幟竿１に、該幟竿１の長さ方向に一定間隔毎、例えば、幟竿１の上端部と中央部と下部との３ヵ所に前方に向かって突設している挟持部材２と、これらの挟持部材２に後端縁における上下端部と中央部とを抜き取り可能に挟持させて幟竿１に取付けられた縦長長方形状の幟旗３とから構成してなり、幟竿１の上端に幟旗３の上端縁を支持する横竿などを装着することなく、幟竿１に設けている上記数個の挟持部材２によって幟旗３を幟竿１から前方に向かって張設した状態で支持してなるものである。なお、幟旗３には図２に簡略的に記載したように、広告や宣伝文、或いは適宜の図柄９等が印刷されている。
【００２０】
上記幟竿１は、硬質合成樹脂よりなる成形品であって、ミニ幟用として使用できるように長さが40cm程度で直径が７mmの丸棒形状に形成されてあり、さらに、上端部を図３に示すように小径部1aに形成してこの小径部1aに球状のキャップ４を装着していると共に、下端部はこの幟を立設、支持するための支持孔10（図７に示す）に挿嵌する取付端部1bに形成している。
【００２１】
上記挟持部材２は図３、図４及び図６に示すように、対向面を垂直方向に向けて両側に並行に配した一対の挟持片2A、2Bからなり、これらの挟持片2A、2Bを側面から見た場合、横幅（前後方向の長さ）が23〜24mm程度で、縦幅（上下方向の長さ）が10mm程度の横長長方形状に形成されている。さらに、いずれか一方の挟持片（以下、一側挟持片2Aとする）の後端部は幟竿１の一部としてこの幟竿１と一体に形成されてあり、他方の挟持片（以下、他側挟持片2Bとする）は一側挟持片2Aと別体に形成して該一側挟持片２に腹合わせ状に結合させることにより挟持部材２を構成している。
【００２２】
一側挟持片2Aは、幟竿１の一部を形成している後端部（基端部）の一側面を幟竿１と同径の円弧面に形成していると共に、他側挟持片2Bの後端部と対向する半円柱形状の他側部2aの外周面を幟竿１の他側円周面よりも小径の円弧面21に形成してあり、この他側部2aに円弧面21から幟竿１の中心に向かって所定深さの縦長孔22を一側挟持片2Aの前方への突出方向に対して直角方向に穿設している。また、この一側挟持片2Aにおける幟竿１から前方に向かって突出した平板部分の垂直な他側面には、他側挟持片2Bとの対向面に向かって全面的に開口している側面矩形状の凹部23を形成してあり、この凹部23にゴム又は弾性を有する合成樹脂からなる弾性部材５を配設してその底面を接着剤によって凹部23の内底面に固着していると共に該弾性部材５の頂部を一定高さだけ凹部23から突出させている。
【００２３】
一方、他側挟持片2Bには、上記一側挟持片2Aの後端部に対向した後端部に、該一側挟持片2Aの上記半円柱形状の他側部2aを嵌合させる上下方向に貫通した横断面半円形状の凹溝部24を設けていると共に、この凹溝部24の内底面中央部に、図３図６に示すように、一側挟持片2Aの後端部における他側部2aに穿設している縦長孔22に嵌合する縦長突片25を他側挟持片2Bの幟竿１からの前方への突出方向に対して直角方向に突設している。なお、この他側挟持片2Bの後端部の一側外周面を一側挟持片2Aの後端部の上記円弧面と連続して幟竿１の後周面と同じ周面を形成する円弧面に形成している。
【００２４】
さらに、この他側挟持片2Bの後端部に設けている上記縦長突片25を一側挟持片2Aの基端部に設けている上記縦長孔22に挿入、嵌合させて一側挟持片2Aの半円柱形状の他側部2aを他側挟持片2Bの凹溝部24に嵌め込むことにより一側挟持片2Aと他側挟持片2Bとを一体に連結させた挟持部材２を形成した状態においては、幟竿１から前方に向かって突出した他側挟持片2Bにおける平板部分と一側挟持片2Aにおける平板部分との対向面は小間隔を存して左右両側に対向してこれらの対向面間で上下方向に貫通し且つ前方に向かって開口しているスリット部６を形成してあり、このスリット部６内に上記一側挟持片2Aに装着している弾性部材５の頂部を介在させて図６（ロ）に示すようにその頂面を他側挟持片2Bの対向面に弾接させている。そして、この弾性部材５の頂面と他側挟持片2Bの対向面とによって幟旗３の挟持面を形成している。
【００２５】
また、上記スリット部６を形成している両側挟持片2A、2Bの対向面における後端面は、互いに近接する方向に直角に屈折していてスリット部６に差し込まれる幟旗３の後端面を受止するストッパ面７に形成していると共に、図６、図７に示すように両側挟持片2A、2Bの前端部対向面を前端に向かって互いに離間する方向に傾斜させてスリット部６の前端開口部を拡開口８に形成してあり、さらに、一側挟持片2Aの凹部23に装着している上記弾性部材５におけるスリット部６内に突出した頂部の前端面を該一側挟持片2Aから他側挟持片2Bに向かって後方に傾斜した傾斜面5aに形成している。
【００２６】
このように構成した幟竿１に上下方向に所定間隔毎に設けている上記数個の挟持部材２に後端縁を挟持させて幟を構成する幟旗３は、縦長長方形状の偏平な合成樹脂製透明袋体3A内に、表裏面に宣伝広告等の文字や適宜な図形等を印刷した縦長長方形状の紙製或いは薄肉の合成樹脂製シート3Bを交換可能に挿入してなり、その長さが幟竿１の上端からこの幟竿１の最下方に設けている挟持部材２によって挟持させることができる長さを有し、且つ該長さよりも短い適宜幅に形成されている。
【００２７】
なお、幟旗３としては、このような偏平な透明樹脂製袋体3A内に印刷シート3Bを交換可能に挿入した構造のものを採用する以外に、表裏面に宣伝広告等の文字や適宜な図形等を印刷した合成樹脂製のシート状物やプレート、或いは、厚紙等を使用してもよく、要するに、その後端縁の数カ所を上記挟持部材２に挟持された状態において、波打ちや屈折が殆ど生じることのない適度の剛性（腰）を有していればよい。
【００２８】
この幟旗３を幟竿１に設けている挟持部材２に挟持させて幟を構成するには図５、図６（ロ）に示すように、、該幟旗３の後端縁における上端部と中央部と下部とを幟竿１の上端部と中央部と下部とに前方に向かって突設している数個の挟持部材２、２、２にそれぞれ対向させてこれらの挟持部材２を形成している対の挟持片2A、2B間の前端開口部に挿入する。この際、各挟持部材２の前端開口部は前方に向かった拡開した拡開口８に形成しているので、幟旗３の後端縁を全ての挟持部材２の開口端に正確に位置合わせすることなく、拡開口８内に簡単且つ確実に挿入することができる。
【００２９】
幟旗３の後端縁における上端部と中央部と下部とを、これらの後端縁部に対向する挟持部材２、２、２の拡開口８に挿入したのち、その挿入動作を停止させることなく幟旗３を連続的に幟竿１に押し進めると、幟旗３の後端縁部が一側挟持片2A側に固着している弾性部材５の前端傾斜面5aをガイドとして各挟持部材２の一側挟持片2Aと他側挟持片2B間のスリット部６内に同時に進入し、該弾性部材５の頂面と他側挟持片2Bの対向面とで挟圧されながらその後端面がスリット部６の後端ストッパ面７に当接してそれ以上の進入が阻止される。この状態にして幟旗３の手放すと、図６（ハ）に示すように、幟旗３の後端縁が幟竿１の長さ方向に平行した正確な位置で弾性部材５の弾圧力でもって該弾性部材５と他側挟持片2Bの対向面とで挟持された状態を保持した幟を構成する。
【００３０】
このように、幟旗３の後端縁を幟竿１から前方に向かって突設している数個の挟持部材２に対向させてこれらの挟持部材２の一側挟持片2Aと他側挟持片2B間のスリット部６内に拡開口６から挿入するという作業を行うだけで、ワンタッチで簡単且つ正確に幟竿１に取付けることができる。また、幟旗３を別な幟旗に交換したい場合には、挟持部材２によっ挟持されている幟旗３の前端部を摘んで引き寄せると、該幟旗３の後端縁が幟竿１に設けている全ての挟持部材２から各挟持部材２に設けている弾性部材５の弾性挟持力に抗して同時に瞬時に引き抜くことができ、図７に示すパチンコ店などにおける多数の幟を設置或いは配設している現場において、パチンコ台の上枠上方部や出玉収容箱などに設けている支持孔10から幟竿１を抜き取ることなく、簡単且つ確実に幟旗３の差し替えによる交換を行うことができる。
【００３１】
なお、上記実施の形態においては、挟持部材２を構成する両側挟持片2A、2Bにおいて、他側挟持片2Bと対向する一側挟持片2Aの対向面に凹部23を設けてこの凹部23に弾性部材５を固定し、該弾性部材５の頂面と他側挟持片2Bとの対向面とを幟旗３の挟持面として、弾性部材５の弾圧力により幟旗３の後端縁部を挟持させるように構成しているが、このような弾性部材５を用いることなく、一側挟持片2Aと他側挟持片2Bとの対向面を接した状態、又は対向面間を幟旗３の厚みよりも薄いスリット部に形成した状態にすると共に、これらの挟持片2A、2Bの少なくとも一方を幟竿１を中心として対向面が接離する方向に弾性力を発揮するように構成しておき、その弾性力に抗して一側挟持片2Aと他側挟持片2Bとの対向面を左右に押し拡げながら幟旗３の後端縁を挿入して該弾性復元力により幟旗３の後端縁を挟持させるように構成しておいてもよい。
【００３２】
また、両側挟持片2A、2Bを幟竿１に対して別体に形成しておき、これらの挟持片2A、2Bの後端部を幟竿１の所定部分を囲むようにしてその部分に挟着、固定させるように構成しておいてもよい。
【図面の簡単な説明】
【００３３】
【図１】本発明の幟の斜視図。
【図２】その側面図。
【図３】その一部を分解した拡大斜視図。
【図４】一側挟持片に対して他側挟持片を分離させた状態の幟竿の斜視図。
【図５】幟旗の後端縁を挟持部材に差し込む直前の状態を示す斜視図。
【図６】挟持部材の組立てから幟旗の取付けまでの工程を説明するための横断面図。
【図７】パチンコ店に配設した使用状態を示す簡略斜視図。
【符号の説明】
【００３４】
１  幟竿
２  挟持部材
2A、2B  挟持片
３  幟旗
５  弾性部材
６  スリット部
22  縦長孔
25  縦長突片
【図１】
2006119161.tif 000003
【図２】
2006119161.tif 000004
【図３】
2006119161.tif 000005
【図４】
2006119161.tif 000006
【図５】
2006119161.tif 000007
【図６】
2006119161.tif 000008
【図７】
2006119161.tif 000009